(57)【要約】【課題】ジャックが回路基板上に設けられた電子機器において、簡単な構成によって、静電気対策を実現する。【解決手段】電子機器１は、回路基板２と、ＵＳＢジャック４と、回路基板２及びＵＳＢジャック４を収納する外装ケース５と、静電気対策用の導電性部材７、８等を備える。ＵＳＢジャック４は、ＵＳＢケーブル３のプラグ３１を接続可能なように、外装ケース５に形成されたジャック用開口５１に臨んで配置されている。静電気対策用の導電性部材７、８は、ジャック用開口５１の近傍に、回路基板２の表面に露出して設けられている。静電気対策用の導電性部材７は、回路基板２のグランド用配線２２ｂの一部であり、レジスト層２３が形成されておらず、回路基板２の表面に露出している。静電気対策用の導電性部材８は、静電気対策用の導電性部材７（グランド用配線２２ｂの一部）に実装された零オーム抵抗である。【選択図】図１
2008226786.tif 000002
【特許請求の範囲】
【請求項１】
電気回路配線が形成された回路基板と、前記回路基板上に設けられた、電気ケーブルのプラグを差し込んで接続するためのジャックと、前記回路基板及びジャックを収納した外装ケースとを備え、
前記ジャックは、ジャック固定具によって前記回路基板に固定されており、前記電気ケーブルのプラグを接続可能なように、前記外装ケースに形成されたジャック用開口に臨んで配置されている電子機器において、
前記ジャック用開口の近傍に、前記回路基板の表面に露出して設けられた静電気対策用の導電性部材を備え、
前記静電気対策用の導電性部材は、少なくとも前記回路基板のグランド用配線の一部及び該グランド用配線の一部に実装された零オーム抵抗を含み、
前記ジャック固定具は、
導電性部材から成り、前記ジャックを保持する保持部と、前記保持部と一体的な脚部とを有し、
前記脚部が前記回路基板のグランド用配線の一部に半田付け実装されることにより、前記ジャックを前記回路基板に固定し、前記回路基板のグランド用配線の一部及び前記零オーム抵抗と共に静電気対策用の導電性部材として機能する、
ことを特徴とする電子機器。
【請求項２】
電気回路配線が形成された回路基板と、前記回路基板上に設けられた、電気ケーブルのプラグを差し込んで接続するためのジャックと、前記回路基板及びジャックを収納した外装ケースとを備え、
前記ジャックは、前記電気ケーブルのプラグを接続可能なように、前記外装ケースに形成されたジャック用開口に臨んで配置されている電子機器において、
前記ジャック用開口の近傍に、前記回路基板の表面に露出して設けられた静電気対策用の導電性部材を備え、
前記静電気対策用の導電性部材は、少なくとも前記回路基板のグランド用配線の一部を含む、
ことを特徴とする電子機器。
【請求項３】
前記静電気対策用の導電性部材は、少なくとも前記回路基板のグランド用配線の一部及び該グランド用配線の一部に実装された零オーム抵抗を含む、
ことを特徴とする請求項２に記載の電子機器。
【発明の詳細な説明】
【技術分野】
【０００１】
本発明は、電気ケーブルのプラグを差し込んで接続するためのジャックを備える電子機器に関するものである。
【背景技術】
【０００２】
従来から、例えばパーソナルコンピュータや携帯通信端末等の電子機器は、ＵＳＢケーブルやＤＣケーブル等の電気ケーブルを接続するためのジャックを備えている。このようなジャックを備えた電子機器は、外装ケース内にジャック及び回路基板を収納しており、ジャックは、外装ケースの外部から電気ケーブルを接続可能なように、外装ケースに形成されたジャック用開口に臨んで配置されている。
【０００３】
ところで、このようなジャックを備える電子機器では、人の指などがジャックに近づいたときに、静電気が人の指などから外装ケースのジャック用開口を介してジャックや回路基板に放電することがある。このような静電気の放電は、ジャック及び回路基板上の電子部品や電気回路に悪影響を及ぼす虞があり、従って、静電気の放電からジャック及び回路基板上の電子部品や電気回路を保護する静電気対策を講じる必要がある。
【０００４】
そこで、このようなジャックを備える電子機器において、静電気対策を講じて、静電気の放電による悪影響を未然に防止するようにしたものが知られている（例えば特許文献１参照）。特許文献１に記載の電子機器では、ジャックの取付けを補強するためのジャック補強板を備えており、このジャック補強板を導電性のものとして、このジャック補強板に静電気誘導部（静電気対策用の導電性部材）を突設形成している。このジャック補強板は、導電性を有する金属材料から成る平板を所定形状に打ち抜き加工した後、これを板金加工することにより形成される。
【０００５】
一方、端子部の周囲を金属シェルでカバーしたシールド付ジャックコネクタに関し、端子部が臨む箇所に金属シェルと一体的に形成されたリブを設けることにより、人の指などが端子部に近づいても端子部へ静電気が放電されないようにしたものが知られている（例えば特許文献２参照）。また、押しボタンスイッチを備える電子機器において、押しボタンスイッチの周囲を囲うように導電性皮膜を設けることにより、静電気の放電から押しボタンスイッチを保護するようにしたものが知られている（例えば特許文献３参照）。また、回路基板において、電子部品が配置された内部回路を静電気の放電から保護するために、内部回路の周囲に静電気保護パターンを設けたものや（例えば特許文献４参照）、内部回路の周囲にチップコンデンサを設けたものが知られている（例えば特許文献５参照）。
【特許文献１】特開平５−２０５８２７号公報
【特許文献２】特開平５−１５２０３１号公報
【特許文献３】特開２００６−１１４２９７号公報
【特許文献４】特開２００４−１３４４５３号公報
【特許文献５】特開２００１−３０８５８６号公報
【発明の開示】
【発明が解決しようとする課題】
【０００６】
ところが、上述した特許文献１に記載の電子機器においては、静電気誘導部（静電気対策用の導電性部材）は、金属板を板金加工することにより、ジャック補強板と一体的に形成されたものであるため、ジャック補強板を備えない構成では、実現不可能である。また、静電気誘導部をジャック補強板と別体にする構成が考えられるが、このような構成においても、静電気誘導部の加工や取付けの観点から、実現困難である。なお、上述した特許文献２乃至特許文献５に開示の内容を適用したとしても、上記の問題を解決することはできない。
【０００７】
本発明は、上記課題を解決するためになされたものであり、ジャックが回路基板上に設けられた電子機器において、簡単な構成によって、静電気対策を実現することができる電子機器を提供することを目的とする。
【課題を解決するための手段】
【０００８】
上記目的を達成するために請求項１の発明は、電気回路配線が形成された回路基板と、回路基板上に設けられた、電気ケーブルのプラグを差し込んで接続するためのジャックと、回路基板及びジャックを収納した外装ケースとを備え、ジャックは、ジャック固定具によって回路基板に固定されており、電気ケーブルのプラグを接続可能なように、外装ケースに形成されたジャック用開口に臨んで配置されている電子機器において、ジャック用開口の近傍に、回路基板の表面に露出して設けられた静電気対策用の導電性部材を備え、静電気対策用の導電性部材は、少なくとも回路基板のグランド用配線の一部及び該グランド用配線の一部に実装された零オーム抵抗を含み、ジャック固定具は、導電性部材から成り、ジャックを保持する保持部と、保持部と一体的な脚部とを有し、脚部が回路基板のグランド用配線の一部に半田付け実装されることにより、ジャックを回路基板に固定し、回路基板のグランド用配線の一部及び零オーム抵抗と共に静電気対策用の導電性部材として機能するものである。
【０００９】
請求項２の発明は、電気回路配線が形成された回路基板と、回路基板上に設けられた、電気ケーブルのプラグを差し込んで接続するためのジャックと、回路基板及びジャックを収納した外装ケースとを備え、ジャックは、電気ケーブルのプラグを接続可能なように、外装ケースに形成されたジャック用開口に臨んで配置されている電子機器において、ジャック用開口の近傍に、回路基板の表面に露出して設けられた静電気対策用の導電性部材を備え、静電気対策用の導電性部材は、少なくとも回路基板のグランド用配線の一部を含むものである。
【００１０】
請求項３の発明は、請求項２に記載の電子機器において、静電気対策用の導電性部材は、少なくとも回路基板のグランド用配線の一部及び該グランド用配線の一部に実装された零オーム抵抗を含むものである。
【発明の効果】
【００１１】
請求項１の発明によれば、外装ケースに形成されたジャック用開口の近傍に静電気対策用の導電性部材が設けられているため、静電気対策用の導電性部材に静電気が放電され易くなり、これにより、ジャックを回路基板に電気的に接続するジャック端子及び回路基板上の電子部品や電気回路に静電気が放電されることが防止され、ジャック及び回路基板上の電子部品や電気回路を静電気の放電から保護することができる。しかも、静電気対策用の導電性部材は、回路基板のグランド用配線の一部を利用したものであるため、ジャックが回路基板上に設けられた電子機器において、簡単な構成によって、静電気対策を実現することができる。さらに、静電気対策用の導電性部材は、グランド用配線に実装された零オーム抵抗を含んでいるため、零オーム抵抗の背の高さによって、零オーム抵抗に（すなわち静電気対策用の導電性部材に）より一層静電気が放電され易くなり、これにより、より確実に、ジャック及び回路基板上の電子部品や電気回路を静電気の放電から保護することができる。しかも、零オーム抵抗は、グランド用配線に実装するだけでよく、従って、簡単な構成によって、より確実な静電気対策を実現することができる。また、ジャック固定具が回路基板のグランド用配線の一部及び零オーム抵抗と共に静電気対策用の導電性部材として機能するため、より確実に、ジャック及び回路基板上の電子部品や電気回路を静電気の放電から保護することができる。しかも、ジャック固定具は、グランド用配線に半田付け実装するだけで、ジャックを回路基板に固定する固定具として機能すると共に、静電気対策用の導電性部材として機能し、従って、簡単な構成によって、より確実な静電気対策を実現することができる。
【００１２】
請求項２の発明によれば、外装ケースに形成されたジャック用開口の近傍に静電気対策用の導電性部材が設けられているため、静電気対策用の導電性部材に静電気が放電され易くなり、これにより、ジャックを回路基板に電気的に接続するジャック端子及び回路基板上の電子部品や電気回路に静電気が放電されることが防止され、ジャック及び回路基板上の電子部品や電気回路を静電気の放電から保護することができる。しかも、静電気対策用の導電性部材は、回路基板のグランド用配線の一部を利用したものであるため、ジャックが回路基板上に設けられた電子機器において、簡単な構成によって、静電気対策を実現することができる。
【００１３】
請求項３の発明によれば、静電気対策用の導電性部材は、グランド用配線に実装された零オーム抵抗を含んでいるため、零オーム抵抗の背の高さによって、零オーム抵抗に（すなわち静電気対策用の導電性部材に）より一層静電気が放電され易くなり、これにより、より確実に、ジャック及び回路基板上の電子部品や電気回路を静電気の放電から保護することができる。しかも、零オーム抵抗は、グランド用配線に実装するだけでよく、従って、簡単な構成によって、より確実な静電気対策を実現することができる。
【発明を実施するための最良の形態】
【００１４】
以下、本発明を具体化した実施形態による情報機器について図面を参照して説明する。図１（ａ）（ｂ）、図２（ａ）（ｂ）（ｃ）は、本実施形態による例えばパーソナルコンピュータや携帯通信端末等の電子機器の概略構成を示す。
【００１５】
電子機器１は、回路基板２と、電気ケーブルであるＵＳＢケーブル３のプラグ３１を差し込んで接続するためのＵＳＢジャック４と、回路基板２及びジャック４を収納する外装ケース５とを備える。また、電子機器１は、ジャック４を回路基板２に固定するためのジャック固定具６ａ、６ｂと、静電気対策用の導電性部材７、８等を備える。外装ケース５には、ＵＳＢケーブル３のプラグ３１をＵＳＢジャック４に接続可能とするためのジャック用開口５１が形成されている。
【００１６】
回路基板２は、絶縁性の基板部２１にジャック用配線２２ａ、グランド用配線２２ｂ等の電気回路配線が形成され、その上に絶縁性のレジスト層２３が形成された構造になっている（図２（ｂ）（ｃ）では、ジャック用配線２２ａ、グランド用配線２２ｂ等の電気配線及びレジスト層２３の図示を省略している）。また、回路基板２には、各種電子部品（不図示）が実装されている。回路基板２は、支持部材（不図示）によって外装ケース５内に固定、支持されている。
【００１７】
ＵＳＢジャック４は、回路基板２上に設けられており、ジャック固定具６ａ、６ｂにより回路基板２に固定されている。ＵＳＢジャック４は、絶縁性部材から成り、ＵＳＢケーブル３のプラグ３１が差込まれるプラグ差込口４１を有しており、プラグ差込口４１の内部に、ＵＳＢケーブル３のプラグ３１と電気的に接続される入出力端子（不図示）が設けられている。また、ＵＳＢジャック４は、ＵＳＢジャック４を回路基板２に電気的に接続するジャック端子４２を有しており、ジャック端子４２を介して、プラグ差込口４１の内部の入出力端子と回路基板２のジャック用配線２２ａとが電気的に接続されている。
【００１８】
ＵＳＢジャック４は、回路基板２の周縁に設けられており、ＵＳＢケーブル３のプラグ３１が回路基板２の表面と平行に抜き差しされるように、ＵＳＢジャック４のプラグ差込口４１が回路基板２の表面と平行に回路基板２の外周方向を向いている。そして、ＵＳＢジャック４は、ＵＳＢケーブル３のプラグ３１を外装ケース５の外部から接続（抜き差し）可能なように、外装ケース５に形成されたジャック用開口５１に臨んで配置されている。
【００１９】
ジャック固定具６ａ、６ｂは、各々、導電性部材から成り、ＵＳＢジャック４を保持する保持部６１と、保持部６１と一体的な脚部６２とを有している。保持部６１は、ＵＳＢジャック４の周囲（上面及び側面）を囲う形状をしており、ＵＳＢジャック４に嵌着されている。脚部６２は、ＵＳＢジャック４の側面から突出するように保持部６１に繋がっている。ジャック固定具６ａ、６ｂは、脚部６２が半田（不図示）によって回路基板２に半田付け実装されており、これにより、ＵＳＢジャック４を回路基板２に固定している。
【００２０】
静電気対策用の導電性部材７、８は、静電気の放電からＵＳＢジャック４及び回路基板２上の各種電子部品や電気回路を保護するためのものであり、外装ケース５に形成されたジャック用開口５１の近傍に、回路基板２の表面に露出して設けられている。
【００２１】
静電気対策用の導電性部材７は、回路基板２のグランド用配線２２ｂの一部である。つまり、回路基板２は、グランド用配線２２ｂが外装ケース５のジャック用開口５１の近傍まで形成されていると共に、レジスト層２３がジャック用開口５１の近傍において形成されておらず、これにより、ジャック用開口５１の近傍においてグランド用配線２２ｂの一部が露出した構成になっている。このような構成により、グランド用配線２２ｂの一部（レジスト層２３が形成されておらず回路基板２の表面に露出している部分）が静電気対策用の導電性部材７とされている。静電気対策用の導電性部材７は、電子機器１の外部空間と内部空間とを分け隔てるように回路基板２の外周に沿って連続的に設けられている。
【００２２】
静電気対策用の導電性部材８は、静電気対策用の導電性部材７（グランド用配線２２ｂの一部）に実装された零オーム抵抗である。零オーム抵抗には、長さ、幅、高さのサイズが異なる複数種のものがあり、外装ケース５のジャック用開口５１の大きさやジャック用開口５１との距離を考慮して、適切なサイズのものが用いられる。静電気対策用の導電性部材８（零オーム抵抗）は、ＵＳＢジャック４の両側に１個ずつ設けられている。
【００２３】
また、上記ジャック固定具６ａは、脚部６２が半田（不図示）によって回路基板２のグランド用配線２２ｂの一部（静電気対策用の導電性部材８）に半田付け実装されており、これにより、上述のようにＵＳＢジャック４を回路基板２に固定する固定具として機能することに加え、静電気対策用の導電性部材７（グランド用配線２２ｂの一部）及び静電気対策用の導電性部材８（零オーム抵抗）と共に静電気対策用の導電性部材として機能する。ジャック固定具６ａ、６ｂ、静電気対策用の導電性部材８（零オーム抵抗）、及び各種電子部品は、クリーム半田を用いたリフロー処理により回路基板２に半田付け実装される。
【００２４】
このような構成の電子機器１によれば、外装ケース５に形成されたジャック用開口５１の近傍に静電気対策用の導電性部材７が設けられているため、静電気対策用の導電性部材７に静電気が放電され易くなり、これにより、ジャック端子４２及び回路基板２上の電子部品や電気回路に静電気が放電されることが防止され、ＵＳＢジャック４及び回路基板２上の電子部品や電気回路を静電気の放電から保護することができる。しかも、静電気対策用の導電性部材７は、回路基板２のグランド用配線２２ｂの一部を利用したものであるため、ＵＳＢジャック４が回路基板２上に設けられた電子機器１において、簡単な構成によって、静電気対策を実現することができる。また、静電気対策用の導電性部材７は、電子機器１の外部空間と内部空間とを分け隔てるように回路基板２の外周に沿って連続的に設けられているため、静電気が回路基板２の表面に沿ってジャック端子４２及び回路基板２上の電子部品や電気回路に放電されることが防止され、これにより、より確実な静電気対策を実現することができる。
【００２５】
さらに、静電気対策用の導電性部材７に加え、ジャック用開口５１の近傍に静電気対策用の導電性部材８が設けられており、静電気対策用の導電性部材８は、静電気対策用の導電性部材７に実装された零オーム抵抗であるため、零オーム抵抗の背の高さによって、零オーム抵抗に（すなわち静電気対策用の導電性部材８に）より一層静電気が放電され易くなり、これにより、より確実に、ＵＳＢジャック４及び回路基板２上の電子部品や電気回路を静電気の放電から保護することができる。しかも、零オーム抵抗は、静電気対策用の導電性部材７（グランド用配線２２ｂ）に半田付け実装するだけでよく、従って、簡単な構成によって、より確実な静電気対策を実現することができる。
【００２６】
また、ジャック固定具６ａが静電気対策用の導電性部材７（グランド用配線２２ｂの一部）及び静電気対策用の導電性部材８（零オーム抵抗）と共に静電気対策用の導電性部材として機能するため、より確実に、ＵＳＢジャック４及び回路基板２上の電子部品や電気回路を静電気の放電から保護することができる。しかも、ジャック固定具６ａは、グランド用配線２２ｂ（静電気対策用の導電性部材７）に半田付け実装するだけで、ＵＳＢジャック４を回路基板２に固定する固定具として機能すると共に、静電気対策用の導電性部材として機能し、従って、簡単な構成によって、より確実な静電気対策を実現することができる。また、ジャック固定具６ａは、ＵＳＢジャック４の周囲を囲っているため、静電気がＵＳＢジャック４の周囲から回り込んでジャック端子４２及び回路基板２上の電子部品や電気回路に放電されることが防止され、これにより、より確実な静電気対策を実現することができる。
【００２７】
なお、本発明は、上記実施形態の構成に限られず、種々の変形が可能である。例えば、ＵＳＢジャックは、回路基板の周縁に限られず、回路基板の中央付近に設けられていてもよい。また、ＵＳＢジャックは、ＵＳＢケーブルのプラグが回路基板の表面と垂直な方向に抜き差しされる構成のものであってもよい。本発明は、ＵＳＢジャックに限られず、例えばＤＣジャック等の他のジャックであっても適用可能である。また、本発明は、パーソナルコンピュータや携帯通信端末に限られず、ジャックが回路基板上に設けられる電子機器であれば、どのような電子機器にも適用可能である。
【図面の簡単な説明】
【００２８】
【図１】（ａ）は本発明の一実施形態に係る電子機器の概略構成を示す斜視図、（ｂ）は同電子機器の一部破断した斜視図。
【図２】（ａ）は同電子機器の構成を示す図１（ａ）のＡ−Ａ線断面図、（ｂ）は（ａ）のＢ−Ｂ線断面図、（ｃ）は（ａ）のＣ−Ｃ線断面図。
【符号の説明】
【００２９】
１    電子機器
２    回路基板
３    ＵＳＢケーブル（電気ケーブル）
４    ＵＳＢジャック
５    外装ケース
６ａ、６ｂ    ジャック固定具
７、８    静電気対策用の導電性部材
２１    基板部
２２ａ    ジャック用配線（電気回路配線）
２２ｂ    グランド用配線（電気回路配線）
２３    レジスト層
３１    ＵＳＢケーブルのプラグ
４１    プラグ差込口
４２    ジャック端子
５１    ジャック用開口
【図１】
2008226786.tif 000003
【図２】
2008226786.tif 000004